(57)【要約】  製造上、コンデンサの中間製品の取り扱い性に優れ、かつ、既存の製造ラインを利用して製造する場合に、製造ラインの変更も容易とすること。  一方の端面２２Ａに２本の電極端子２４Ａ、２４Ｂを有し、他方の端面２２Ｂに柱状の凸部２６を有する柱状のコンデンサ本体２０と、コンデンサ本体２０に取り付けられた固定用補助端子３０Ａと、を少なくとも有し、固定用補助端子３０Ａが、凸部２６の中心軸Ｃ１に対して略直交する２つ以上の方向から凸部２６の外周面を押圧した状態で、凸部２６に対して圧着固定された圧着固定部材３２Ａと、圧着固定部材３２Ａに接続された棒状部材３４と、を有するコンデンサ、その製造方法および当該コンデンサを用いた回路付き基板。
2012077459.tif 000002
【特許請求の範囲】
【請求項１】
一方の端面に２本の電極端子を有し、他方の端面に柱状の凸部を有する柱状のコンデンサ本体と、前記コンデンサ本体に取り付けられた固定用補助端子と、を少なくとも有し、
前記固定用補助端子が、
前記凸部の中心軸に対して略直交する２つ以上の方向から前記凸部の外周面を押圧した状態で、前記凸部に対して圧着固定された圧着固定部材と、該圧着固定部材に接続された棒状部材と、を少なくとも有することを特徴とするコンデンサ。
【請求項２】
請求項１に記載のコンデンサにおいて、
前記圧着固定部材が、リング状部材、筒状部材およびコイル状部材から選択される中空部材であることを特徴とするコンデンサ。
【請求項３】
請求項２に記載のコンデンサにおいて、
前記中空部材が、リング状部材からなり、
前記リング状部材の開口部の内径方向と、前記棒状部材の軸方向とが略平行を成すように、前記リング状部材の外縁部に前記棒状部材が接続されており、
前記２本の電極端子と、前記一方の端面とが交差する２点間を結ぶ直線に対して、前記棒状部材の中心軸が略直交するように配置されると共に、
前記リング状部材の開口部内に前記凸部が差し込まれた状態で、前記リング状部材が前記凸部に対して圧着固定されていることを特徴とするコンデンサ。
【請求項４】
請求項３に記載のコンデンサにおいて、
前記リング状部材の内縁側に沿って、前記開口部の軸方向と略平行を成すように伸びるバーリング部が設けられていることを特徴とするコンデンサ。
【請求項５】
請求項４に記載のコンデンサにおいて、
前記バーリング部が、前記開口部の周方向に沿って、２つ以上に分割されていることを特徴とするコンデンサ。
【請求項６】
請求項４または５に記載のコンデンサにおいて、
前記バーリング部が、前記開口部の周方向に沿って、４分割されていることを特徴とするコンデンサ。
【請求項７】
請求項２に記載のコンデンサにおいて、
前記中空部材が、底付き筒状部材からなり、
前記筒状部材の軸方向と、前記棒状部材の軸方向とが略一致するように、前記筒状部材の底部の外面に前記棒状部材が接続されており、
前記筒状部材内に、前記凸部が差し込まれた状態で、前記筒状部材が前記凸部に対して圧着固定されていることを特徴とするコンデンサ。
【請求項８】
請求項１に記載のコンデンサにおいて、
前記圧着固定部材が、半リング状部材および半筒状部材から選択される凸部保持部材であり、
前記凸部保持部材の内周側に前記凸部が配置された状態で、前記凸部保持部材が前記凸部に対して圧着固定されていることを特徴とするコンデンサ。
【請求項９】
請求項１〜８のいずれか１つに記載のコンデンサにおいて、
前記コンデンサ本体が、
コンデンサ素子と、
該コンデンサ素子に接続された前記２本の電極端子と、
前記コンデンサ素子を収納する底付き筒状ケースと、
該筒状ケースの底面の外側に突出するように設けられた前記凸部と、を少なくとも備え、
前記筒状ケースと前記凸部とが一体成形されていることを特徴とするコンデンサ。
【請求項１０】
請求項１〜９のいずれか１つに記載のコンデンサにおいて、
下式（１）を満たすことを特徴とするコンデンサ。
・式（１）  ０＜Ｈｐ≦ＤＣ／１．５
〔前記式（１）中、Ｈｐは、前記凸部の高さ（ｍｍ）を表し、ＤＣは、前記コンデンサ本体の直径（ｍｍ）を表す。〕
【請求項１１】
請求項１〜１０のいずれか１つに記載のコンデンサにおいて、
下式（２）を満たすことを特徴とするコンデンサ。
・式（２）    ＤＣ／２０≦Ｄｐ＜ＤＣ
〔前記式（２）中、Ｄｐは、前記凸部の直径（ｍｍ）を表し、ＤＣは、前記コンデンサ本体の直径（ｍｍ）を表す。〕      
【請求項１２】
請求項１〜１１のいずれか１つに記載のコンデンサにおいて、
前記コンデンサ本体の直径に対する長さの比が、１．２以上であることを特徴とするコンデンサ。
【請求項１３】
一方の端面に２本の電極端子を有し、他方の端面に凸部を有する柱状のコンデンサ本体と、
前記凸部の中心軸に対して略直交する２つ以上の方向から前記凸部の外周面を押圧することで、前記凸部に対して圧着固定可能な圧着固定部材、および、該圧着固定部材に接続された棒状部材を有する固定用補助端子と、を用い、
前記凸部の中心軸に対して略直交する２つ以上の方向から前記凸部の外周面を押圧できるように前記凸部に対して、前記圧着固定部材を配置した後、前記圧着固定部材をかしめることにより、前記固定用補助端子を、前記コンデンサ本体に取り付ける固定用補助端子取り付け工程を少なくとも経て、請求項１〜１２のいずれか１つに記載のコンデンサを製造することを特徴とするコンデンサの製造方法。
【請求項１４】
請求項１３に記載のコンデンサの製造方法において、前記圧着固定部材が、リング状部材、筒状部材およびコイル状部材から選択される中空部材からなり、
前記固定用補助端子取り付け工程が、
前記中空部材の中空部に、前記凸部を差し込んだ状態で、前記中空部材をかしめることにより実施されることを特徴とするコンデンサの製造方法。
【請求項１５】
厚み方向に貫通する３つ以上の貫通穴を有する基板と、
請求項１〜１２のいずれか１つに記載のコンデンサと、を少なくとも備え、
前記２本の電極端子および前記棒状部材が、前記３つ以上貫通穴から選択されたいずれか３つの貫通穴に各々差し込まれた状態で、前記コンデンサが前記基板に固定されていることを特徴とする回路付き基板。
【発明の詳細な説明】
【技術分野】
【０００１】
本発明は、コンデンサ、コンデンサの製造方法および回路付き基板に関するものである。                                    
【背景技術】
【０００２】
柱状のコンデンサを備えた各種の回路付き基板の組み立てに際しては、回路付き基板を構成する基板に、コンデンサが半田付けにより実装される。この際、コンデンサ本体の一方の端面側から、コンデンサ本体の軸方向に伸びる２本のリード線等からなる電極端子が基板に設けられた貫通穴に差し込まれた状態で半田付けされる。しかし、この場合、コンデンサが、基板に対して略垂直に立った状態で取り付けられることになるため、回路付き基板を備えた電子機器を薄型化・小型化させることができない。【０００３】
このため、コンデンサを、基板に対して寝かせた状態で回路付き基板に実装する技術が提案されている（特許文献１〜５参照）。これらの技術では、コンデンサ本体の２本の電極端子が設けられた側と反対側の端面に、コンデンサ本体の直径よりも十分に長く、かつ、電気的に機能しないリード線等からなる１本の補助端子を設け、２本の電極端子と共に、この補助端子を基板の貫通穴に差し込んで半田付けすることにより、コンデンサを基板に実装する。また、このような実装形態を採用することにより、耐震性も確保できる。なお、補助端子を用いる代わりに、接着剤を用いてコンデンサを、基板に対して寝かせた状態で回路付き基板に実装した場合も、上述と同様の効果を得ることが可能である。【０００４】
しかし、接着剤を用いてコンデンサを実装する方法では、接着剤の乾燥に時間が必要となるため、実装工程での作業効率が低下する。このため、特許文献１〜５に例示されたような補助端子付きのコンデンサの方が、回路付き基板を組み立てるユーザーからのニーズが大きい。
【先行技術文献】
【特許文献】
【０００５】
【特許文献１】特開平９−９７７４１号公報（図１、図１５等）
【特許文献２】特開昭６４−５５８１８号公報（図４、図５等）
【特許文献３】特開平４−３７１１０号公報（図１等）
【特許文献４】特開昭６２−６８２２５号公報（図１等）
【特許文献５】特開昭５４−２１４０号公報（図３等）
【発明の概要】
【発明が解決しようとする課題】
【０００６】
一方、特許文献１〜５に開示されるコンデンサは、補助端子の長さが、コンデンサ本体の直径よりも十分に長いため、コンデンサを製造する際に、補助端子が邪魔になる。すなわち、製造上、コンデンサまたはその中間製品の取り扱い性が非常に悪くなる。このため、結果的に、製造ラインの自動化にも支障を来すことになる。【０００７】
これに加えて、補助端子を有さないコンデンサの製造ラインを、補助端子付きのコンデンサの製造ラインへと改造しようとした場合、補助端子の存在を考慮した上で、大幅に見直す必要がある。すなわち、生産性という点で、既存の補助端子の無いコンデンサ用の製造ラインとの互換性が極めて低いため、製造ラインの変更には、多大の改造およびコストが必要となる。【０００８】
本発明は、前記事情に鑑みてなされたものであり、製造上、コンデンサの中間製品の取り扱い性に優れ、かつ、既存の製造ラインを利用して製造する場合に、製造ラインの変更も容易なコンデンサ、その製造方法、および、当該コンデンサを用いた回路付き基板を提供することを課題とする。
【課題を解決するための手段】
【０００９】
前記課題は以下の本発明により達成される。すなわち、
本発明のコンデンサは、一方の端面に２本の電極端子を有し、他方の端面に柱状の凸部を有する柱状のコンデンサ本体と、コンデンサ本体に取り付けられた固定用補助端子と、を少なくとも有し、固定用補助端子が、凸部の中心軸に対して略直交する２つ以上の方向から凸部の外周面を押圧した状態で、凸部に対して圧着固定された圧着固定部材と、該圧着固定部材に接続された棒状部材と、を少なくとも有することを特徴とする。【００１０】
本発明のコンデンサの一実施態様は、圧着固定部材が、リング状部材、筒状部材およびコイル状部材から選択される中空部材であることが好ましい。【００１１】
本発明のコンデンサの他の実施態様は、中空部材が、リング状部材からなり、リング状部材の開口部の内径方向と、棒状部材の軸方向とが略平行を成すように、リング状部材の外縁部に棒状部材が接続されており、２本の電極端子と、一方の端面とが交差する２点間を結ぶ直線に対して、棒状部材の中心軸が略直交するように配置されると共に、リング状部材の開口部内に前記凸部が差し込まれた状態で、リング状部材が凸部に対して圧着固定されていることが好ましい。【００１２】
本発明のコンデンサの他の実施態様は、リング状部材の内縁側に沿って、開口部の軸方向と略平行を成すように伸びるバーリング部が設けられていることが好ましい。【００１３】
本発明のコンデンサの他の実施態様は、バーリング部が、開口部の周方向に沿って、２つ以上に分割されていることが好ましい。【００１４】
本発明のコンデンサの他の実施態様は、バーリング部が、開口部の周方向に沿って、４分割されていることが好ましい。【００１５】
本発明のコンデンサの他の実施態様は、中空部材が、底付き筒状部材からなり、筒状部材の軸方向と、棒状部材の軸方向とが略一致するように、筒状部材の底部の外面に棒状部材が接続されており、筒状部材内に、凸部が差し込まれた状態で、筒状部材が前記凸部に対して圧着固定されていることが好ましい。【００１６】
本発明のコンデンサの他の実施態様は、圧着固定部材が、半リング状部材および半筒状部材から選択される凸部保持部材であり、凸部保持部材の内周側に凸部が配置された状態で、凸部保持部材が凸部に対して圧着固定されていることが好ましい。【００１７】
本発明のコンデンサの他の実施態様は、コンデンサ本体が、コンデンサ素子と、該コンデンサ素子に接続された２本の電極端子と、コンデンサ素子を収納する底付き筒状ケースと、該筒状ケースの底面の外側に突出するように設けられた凸部と、を少なくとも備え、筒状ケースと凸部とが一体成形されていることが好ましい【００１８】
本発明のコンデンサの他の実施態様は、下式（１）を満たすことが好ましい。
・式（１）  ０＜Ｈｐ≦ＤＣ／１．５
〔式（１）中、Ｈｐは、凸部の高さ（ｍｍ）を表し、ＤＣは、コンデンサ本体の直径（ｍｍ）を表す。〕【００１９】
本発明のコンデンサの他の実施態様は、下式（２）を満たすことが好ましい。
・式（２）    ＤＣ／２０≦Ｄｐ＜ＤＣ
〔式（２）中、Ｄｐは、凸部の直径（ｍｍ）を表し、ＤＣは、コンデンサ本体の直径（ｍｍ）を表す。〕      【００２０】
本発明のコンデンサの他の実施態様は、コンデンサ本体の直径に対する長さの比が、１．２以上であることが好ましい。【００２１】
本発明のコンデンサの製造方法は、一方の端面に２本の電極端子を有し、他方の端面に凸部を有する柱状のコンデンサ本体と、凸部の中心軸に対して略直交する２つ以上の方向から凸部の外周面を押圧することで、凸部に対して圧着固定可能な圧着固定部材、および、該圧着固定部材に接続された棒状部材を有する固定用補助端子と、を用い、凸部の中心軸に対して略直交する２つ以上の方向から凸部の外周面を押圧できるように凸部に対して、圧着固定部材を配置した後、圧着固定部材をかしめることにより、固定用補助端子を、コンデンサ本体に取り付ける固定用補助端子取り付け工程を少なくとも経て、本発明のコンデンサを製造することを特徴とする。【００２２】
本発明のコンデンサの製造方法の一実施態様は、圧着固定部材が、リング状部材、筒状部材およびコイル状部材から選択される中空部材からなり、固定用補助端子取り付け工程が、中空部材の中空部に、凸部を差し込んだ状態で、中空部材をかしめることにより実施されることが好ましい。【００２３】
本発明の回路付き基板は、厚み方向に貫通する３つ以上の貫通穴を有する基板と、本発明のコンデンサと、を少なくとも備え、２本の電極端子および棒状部材が、３つ以上貫通穴から選択されたいずれか３つの貫通穴に各々差し込まれた状態で、コンデンサが基板に固定されていることを特徴とする。
【発明の効果】
【００２４】
本発明によれば、製造上、コンデンサの中間製品の取り扱い性に優れ、かつ、既存の製造ラインを利用して製造する場合に、製造ラインの変更も容易なコンデンサ、その製造方法、および、当該コンデンサを用いた回路付き基板を提供することができる。
【図面の簡単な説明】
【００２５】
【図１】本実施形態のコンデンサの一例を示す模式図である。ここで、図１（Ａ）は、コンデンサを側面側から見た側面図であり、図１（Ｂ）は、コンデンサを上面側から見た上面図であり、図１（Ｃ）は、コンデンサを固定用補助端子が取り付けられた端面側から見た正面図である。
【図２】図１に示すコンデンサに使用される固定用補助端子を示す模式図である。
【図３】固定用補助端子の他の第一の例を示す模式図である。
【図４】固定用補助端子の他の第二の例を示す模式図である。
【図５】固定用補助端子の他の第三の例を示す模式図である。
【図６】本実施形態のコンデンサの他の第一の例を示す模式図であり、また、固定用補助端子の他の第四の例を示す模式図である。ここで、図６（Ａ）は、コンデンサを側面側から見た側面図であり、図６（Ｂ）は、コンデンサの断面図である。
【図７】本実施形態のコンデンサの他の第二の例を示す模式図であり、また、固定用補助端子の他の第五の例を示す模式図である。ここで、図７（Ａ）は、コンデンサを側面側から見た側面図であり、図７（Ｂ）は、コンデンサを上面側から見た上面図であり、図７（Ｃ）は、コンデンサを固定用補助端子が取り付けられた端面側から見た正面図である。
【図８】固定用補助端子の他の第六の例を示す模式図である。
【図９】固定用補助端子の他の第七の例を示す模式図である。
【図１０】固定用補助端子の他の第八の例を示す模式図である。
【図１１】コンデンサ本体の断面構造の一例を示す模式断面図である。
【図１２】本実施形態の回路付き基板の一例を示す模式図である。ここで、図１２（Ａ）は、コンデンサ本体を側面から見た断面図を示し、図１２（Ｂ）は、コンデンサ本体の一方の端面側から見た断面図を示し、図１２（Ｃ）は、コンデンサ本体の他方の端面側から見た断面図を示す。
【発明を実施するための形態】
【００２６】
（コンデンサ）
本実施形態のコンデンサは、一方の端面に２本の電極端子を有し、他方の端面に柱状の凸部を有する柱状のコンデンサ本体と、コンデンサ本体に取り付けられた固定用補助端子と、を少なくとも有する。ここで、固定用補助端子は、凸部の中心軸に対して略直交する２つ以上の方向から凸部の外周面を押圧した状態で、凸部に対して圧着固定された圧着固定部材と、圧着固定部材に接続された棒状部材と、を少なくとも有する。
【００２７】
ここで、固定用補助端子は、圧着固定部材と、この圧着固定部材に接続された棒状部材とを有するものである。ここで、圧着固定部材は、凸部の中心軸に対して略直交する２つ以上の方向から凸部の外周面を押圧した状態で、凸部に対して圧着固定する機能を実現できるのであれば、圧着固定部材の構造は特に限定されない。
【００２８】
しかしながら、圧着固定部材は、たとえば、リング状部材、筒状部材およびコイル状部材から選択される中空部材であることが好ましい。この場合、中空部材の中空部に、凸部を差し込んだ状態で、中空部材をかしめれば、中空部材の内周面が、凸部の中心軸に対して略直交する２つ以上の方向から凸部の外周面を押圧することになる。このため、凸部に対して中空部材を圧着固定することができる。これに加えて、凸部の外周方向全周が、中空部材によって完全に囲まれることになるため、コンデンサ本体に取り付けられた固定用補助端子が脱落し難しくなる。
【００２９】
なお、本願明細書において、「凸部の中心軸に対して略直交する２つ以上の方向」とは、２つ以上の各々の方向のベクトルのうち、凸部の中心軸に対して直交する平面における成分（直交成分）が、凸部の中心軸に対して略点対称を成すことを意味する。たとえば、中空部材を２方向からかしめることにより、２つの異なる方向から凸部の外周面が押圧される場合、一方の方向は、凸部の中心軸に対して０度の方向であり、他方の方向は、凸部の中心軸に対して１８０度±２０度程度の方向とすることができる。また、中空部材を３方向からかしめることにより３つの異なる方向から凸部の外周面が押圧される場合、一番目の方向は、凸部の中心軸に対して０度の方向であり、二番目の方向は、凸部の中心軸に対して１２０度±２０度程度の方向であり、三番目の方向は、凸部の中心軸に対して２４０度±２０度程度の方向とすることができる。また、凸部の中心軸は、凸部の断面において、原則としては、点として示されるものであるが、凸部の断面形状が縦長であるような場合は、この断面形状と相似形のエリアとして示されるものである。なお、このような縦長の断面形状の一例としては、短辺長さに対する長辺長さの比率（長辺長さ／短辺長さ）が３前後以上の長方形などが挙げられる。一方、凸部の中心軸に対して直交する平面に対して、２つ以上の各々の方向のベクトルが成す角度は、０度±３０度程度の範囲内であればよく、０度±１５度程度の範囲内が好ましく、０度に近い程好ましい。
【００３０】
なお、圧着固定部材は、半リング状部材および半筒状部材から選択される凸部保持部材であってもよい。この場合、凸部保持部材の内周側に凸部が配置された状態で、凸部保持部材をかしめれば、凸部保持部材の内周面が、凸部の中心軸に対して略直交する２つ以上の方向から凸部の外周面を押圧するため、凸部に対して中空部材を圧着固定することができる。なお、圧着固定部材が凸部保持部材である場合、凸部の外周方向全周が、中空部材によって完全に囲まれないため、圧着固定部材として中空部材を用いる場合よりもコンデンサ本体に取り付けられた固定用補助端子が脱落し易くなる場合がある。このような問題を防ぐためには、圧着固定部材として中空部材を用いる場合と比べて、凸部保持部材をより強くかしめることで、凸部保持部材を、凸部に対して圧着固定することが好ましい。
【００３１】
なお、凸部保持部材は、凸部保持部材をかしめることにより凸部に対して圧着固定された後の状態で、凸部の外周長さ方向において、凸部の外周面に対して、凸部保持部材の内周面が対向している領域の比率（対向比率）が、原則として、凸部の全外周長の５０％を超えることが好ましい。なお、対向比率は、より正確には、凸部の外周方向の長さを基準に、凸部保持部材の内周方向の長さの比として求められる値である。ここで、凸部の外周面と、凸部保持部材の内周面が対向している部分では、凸部の外周面と凸部保持部材の内周面との少なくとも一部が接触していればよいが、全面が接触していることが好ましい。
【００３２】
また、対向比率を５０％を超えるものとすることにより、凸部の中心軸に対して略直交する２つ以上の方向から凸部の外周面を押圧するように、凸部保持部材をかしめることにより、凸部保持部材を凸部に対して圧着固定することが極めて容易になるためである。なお、対向比率は７５％以上であることがより好ましく、９０％以上であることがさらに好ましい。但し、凸部の断面形状が縦長の形状である場合、たとえば、凸部の断面形状が縦長の長方形であるような場合などでは、対向比率は５０％以下であってもよい。一方、対向比率の上限は、１００％未満である。
【００３３】
以上に説明したように、圧着固定部材としては、リング状部材、筒状部材、コイル状部材、半リング状部材、半筒状部材などが利用できる。ここで、筒状部材および半筒状部材とは、最大外径に対する軸方向長さの比が、０．５以上の圧着固定部材を意味し、リング状部材および半リング状部材とは、最大外径に対する軸方向長さ（後述するバーリング部の長さは加味しない軸方向長さ）の比が０．５未満の圧着固定部材を意味する。なお、コイル状部材は、巻き数により最大外径に対する軸方向長さを任意に設定することができる。
【００３４】
また、固定用補助端子は、別々に作製した圧着固定部材と棒状部材とを溶接、接着、嵌合等により互いに接続したものであってもよく、圧着固定部材と棒状部材とが一体的に形成されたものであってもよい。たとえば、圧着固定部材がリング状部材である場合は、一枚の金属板の抜き打ち加工等を利用することでリング状部材と棒状部材とが一体的に形成された固定用補助端子を作製できる。また、圧着固定部材がコイル状部材である場合は、１本の金属線の一端をコイル状に巻回させることでコイル状部材と棒状部材とが一体的に形成された固定用補助端子を作製できる。
【００３５】
また、棒状部材は、コンデンサ本体を、その軸方向が、基板表面と略平行となるように基板上に固定する際に、基板に設けられた貫通穴に挿入して半田付けで固定可能な程度の長さを有する部材であればよい。このような観点から、たとえば、凸部が、コンデンサ本体の端面の中央部近傍に配置される場合には、棒状部材の長さは、基板の厚みと、コンデンサ本体の直径を２で割った値とを足した値と同程度またはこれを超える値とすることができる。なお、ここで言う「コンデンサ本体の直径」とは、基板上にコンデンサを基板表面と平行となるように配置した状態において、基板表面と直交する方向におけるコンデンサ本体の最大径を意味する。
【００３６】
次に、圧着固定部材が中空部材からなる場合において、（Ｉ）中空部材がリング状部材からなる固定用補助端子を用いたコンデンサ、（ＩＩ）中空部材が筒状部材からなる固定用補助端子を用いたコンデンサ、および、（ＩＩＩ）中空部材がコイル状部材からなる固定用補助端子を用いたコンデンサについて、図面を用いてより詳細に説明する。
【００３７】
まず、（Ｉ）中空部材がリング状部材からなる固定用補助端子を用いたコンデンサ、および、これに用いる固定用補助端子について図面を用いて説明する。図１は、本実施形態のコンデンサの一例を示す模式図であり、図１（Ａ）が、コンデンサを側面側から見た側面図であり、図１（Ｂ）がコンデンサを上面側から見た上面図であり、図１（Ｃ）がコンデンサを固定用補助端子が取り付けられた端面側から見た正面図である。なお、図１（Ａ）中の矢印Ｕ方向から見た図が図１（Ｂ）に相当し、図１（Ａ）中の矢印Ｅ方向から見た図が図１（Ｃ）に相当する。
【００３８】
図１に示すコンデンサ１０Ａ（１０）は、略円柱状のコンデンサ本体２０と、固定用補助端子３０Ａ（３０）と、を備える。そして、コンデンサ本体２０の一方の端面２２Ａには、２本の電極端子（リード線２４Ａ、２４Ｂ）が設けられ、他方の端面２２Ｂには、凸部２６が設けられている。２本のリード線２４Ａ、２４Ｂは、端面２２Ａに対して、略直交すると共にコンデンサ本体２０の中心軸Ｃ１（図１（Ａ）および図１（Ｂ）中、一点鎖線で示される直線Ｃ１）と略平行を成すように、中心軸Ｃ１に対して、略点対称に配置されている。そして、リード線２４Ａおよびリード線２４Ｂの一方の端は、コンデンサ本体２０内に配置された不図示のコンデンサ素子に電気的に接続されている。また、凸部２６は、端面２２Ｂから突出するように設けられた略円柱状の部材であり、凸部２６の軸方向の中心線が、コンデンサ本体２０の中心軸Ｃ１と略一致するように端面２２Ｂに配置されている。なお、電極端子は、図１に例示したリード線に限らず、コンデンサ用の電極端子として利用可能な公知の電極端子であればいずれの電極端子を用いてもよい。
【００３９】
固定用補助端子３０Ａ（３０）は、同心円形状のリング状部材３２Ａ（３２）と棒状部材３４とから構成されている。そして、リング状部材３２Ａの開口部（中空部）３６の開口面と、棒状部材３４の軸方向中心線Ｃ２（図１（Ａ）および図１（Ｃ）中、一点鎖線で示される直線Ｃ２）とが平行を成すように、リング状部材３２Ａの外縁部に棒状部材３４が接続されている。ここで、棒状部材３４は、その中心軸Ｃ２が、２本のリード線２４Ａ、２４Ｂと端面２２Ａとが交差する２点間を結ぶ直線Ｌ（図１（Ｂ）および図１（Ｃ）中、点線で示される直線Ｌ）に対して略直交するように配置される。そして、リング状部材３２Ａの開口部３６内に凸部２６が差し込まれた状態で、リング状部材３２Ａが凸部２６に対して圧着固定されている。これにより、固定用補助端子３０Ａが、コンデンサ本体２０に取り付けられている。このように棒状部材３４を配置することにより、２本のリード線２４Ａ、２４Ｂを、棒状部材３４の中心軸Ｃ２と略平行を成すように、棒状部材３４が設けられた側へと折り曲げることで、図中、不図示の基板の貫通穴に対してリード線２４Ａ、２４Ｂおよび棒状部材３４を差し込んだ後に、半田付けすることが極めて容易となる。なお、固定用補助端子３０Ａは、たとえば、凸部２６の中心軸Ｃ１に対して略直交する２つまたは３つの方向から、リング状部材３２Ａをかしめることで、コンデンサ本体２０に取り付けることができる。なお、この実施の形態では、リング状部材３２Ａと棒状部材３４とは一体的に構成され、１部材を成している。
【００４０】
図２は、図１に示すコンデンサ１０Ａに使用される固定用補助端子を示す模式図（正面図）であり、具体的には、図１に示すコンデンサ１０Ａを構成する固定用補助端子３０Ａを、コンデンサ本体２０の凸部２６に取り付ける前の状態について示した図である。図２に示すように、リング状部材３２Ａには、棒状部材３４が接続された部分と反対側の部分を、中心軸Ｃ２に沿って分断する割り（隙間３８）が設けられている。ここで、固定用補助端子３０Ａをコンデンサ本体２０に取り付ける場合、開口部３６内に凸部２６を差し込んだ後、隙間３８を実質的に消滅させるように、リング状部材３２Ａを開口部３６の内径方向に対して両側（たとえば、図２中の矢印Ｆ１方向）から押圧するようにかしめる。リング状部材３２Ａの一部を開口部３６の径方向に沿って分断する隙間３８は、リング状部材３２Ａの棒状部材３４が接続された部分以外の任意の位置に設けることができる。しかしながら、かしめ作業を容易とする観点からは、図２に示すように、リング状部材３２Ａの棒状部材３４が接続された部分と反対側の部分に隙間３８を設けることが好ましい。また、かしめることが容易であれば、隙間３８を有するリング状部材３２Ａの代わりに、図３に例示するように、隙間３８を有さないリング状部材３２Ｂ（３０）を備えた固定用補助端子３０Ｂ（３０）を用いてもよい。なお、図３に示す固定用補助端子３０Ｂは、隙間３８の有していない点を除いて、図２に示す固定用補助端子３０Ａと同様の構成を有する部材である。
【００４１】
また、固定用補助端子３０をコンデンサ本体２０に取り付ける前の開口部３６の形状・サイズは、凸部２６が差し込み可能であり、かしめた後に、凸部２６から固定用補助端子３０が容易に脱落しない程度であれば特に限定されない。開口部３６の形状は、凸部２６の断面形状に応じて適宜選択できるが、凸部２６の断面形状と同一または相似した形状であることが好ましい。また、リング状部材３２の外縁部に沿った形状も、図１および図２に例示した円形以外に、楕円形あるいは多角形としてもよい。リング状部材３２の外縁部に沿った形状は、かしめ作業に用いる治具の形状に応じて、適宜選択することができる。一方、凸部２６の断面形状も、図１に示した円形状以外にも、楕円形、多角形等、任意の形状を選択できるが、リング状部材３０を備えた固定用補助端子３０を用いる場合は、円形が特に好ましい。なお、この理由については後述する。
【００４２】
図２に例示したような中空部材がリング状部材３２Ａから構成される固定用補助端子３０Ａでは、固定用補助端子３０Ａの作製を容易とし、かつ、基板に設けられた貫通穴への棒状部材３４の挿入も容易とする観点から、リング状部材３２Ａの厚みと、棒状部材３４の厚みとは同一であることが好ましい。また、ステンレス板やアルミニウム板等の公知の金属板の打ち抜き加工等、一般的な金属加工方法を利用して固定用補助端子３０Ａを作製しようとした場合、リング状部材３２Ａおよび棒状部材３４の厚みは、一般的に、０．３ｍｍ〜２ｍｍ程度の範囲内が好ましい。しかしながら、厚みが、上記範囲内では、リング状部材３２Ａの内周面と凸部２６の外周面との接触面積が小さすぎるために、凸部２６に対する固定用補助端子３０Ａの固定が不安定となり、凸部２６から固定用補助端子３０Ａが脱落しやすくなる場合がある。
【００４３】
このような問題を抑制する観点からは、たとえば、図４に例示する固定用補助端子３０Ｃ（３０）、あるいは、図５に例示する固定用補助端子３０Ｄ（３０）などのように、バーリング部４０を備えた固定用補助端子を用いることが好ましい。
【００４４】
ここで、図４は、固定用補助端子の他の例を示す模式図であり、図４（Ａ）は、固定用補助端子３０Ｃの正面図であり、図４（Ｂ）は、固定用補助端子３０Ｃの側面図である。図４に示す固定用補助端子３０Ｃ（３０）は、リング状部材３２Ｃ（３２）の内縁側に沿って、開口部３６の軸方向中心線Ｃ３（図４（Ａ）中の２つの一点鎖線の交点Ｃ３、および、図４（Ｂ）中の一点鎖線Ｃ３）と略平行を成すように伸びるリング状のバーリング部４０Ａ（４０）を備えている。そして、図４に示す固定用補助端子３０Ｃは、バーリング部４０Ａを有している点を除けば、図３に示す固定用補助端子３０Ｂと同様の構成を有する部材である。ここで、図４に示すバーリング部４０Ａは、開口部３６の周方向に４つの頂点を持つ王冠状に形成され、かつ、開口部３６の周方向に均等に４分割されている。
【００４５】
図５は、固定用補助端子の他の例を示す模式図であり、図５（Ａ）は、固定用補助端子３０Ｄの正面図であり、図５（Ｂ）は、固定用補助端子３０Ｄの側面図である。図５に示す固定用補助端子３０Ｄ（３０）は、リング状部材３２Ｄ（３２）の内縁側に沿って、開口部３６の軸方向中心線Ｃ４（図５（Ａ）中の２つの一点鎖線の交点Ｃ４、および、図５（Ｂ）中の一点鎖線Ｃ４）と略平行を成すように伸びるリング状のバーリング部４０Ｂ（４０）を備えている。そして、図５に示す固定用補助端子３０Ｄは、バーリング部４０Ｂを有している点を除けば、図３に示す固定用補助端子３０Ｂと同様の構成を有する部材である。ここで、図５に示すバーリング部４０Ｂは、開口部３６の周方向における高さが一定のリング状に形成され、開口部３６の周方向に連続的、すなわち、開口部３６の周方向に分割されることなく形成されている。
【００４６】
図４に示すバーリング部４０Ａ（４０）を有する固定用補助端子３０Ｃ、あるいは、図５に示すバーリング部４０Ｂ（４０）を有する固定用補助端子３０Ｄを凸部２６に取り付けた場合、凸部２６の軸方向中心線Ｃ１に沿って伸びるバーリング部４０によって、凸部２６の外周面が支持される。このため、凸部２６からの固定用補助端子３０Ｃの脱落を抑制することが容易となる。
【００４７】
なお、バーリング部４０は、図５に例示したように開口部３６の周方向に分割されることなく連続的に設けられていてもよいが、図４に例示したように開口部３６の周方向に沿って、２つ以上に分割されていることが好ましい。後者の場合、凸部２６からの固定用補助端子３０Ｃの脱落をより一層抑制できる効果が向上する。また、同様の観点からは、バーリング部４０は、図４に示すように４つに分割されることが好ましく、さらに、２つ以上に分割する場合には、図４に示すように周方向に均等に分割されることが好ましい。
【００４８】
なお、図４に示すバーリング部４０Ａは、たとえば、金属板の平面方向に対して設けられた十字状を成す２本の切断線の交差点に対して、先端が四角錐の柱状金型を、２本の切断線の交差点と金型の軸方向中心とが一致するように押し当てて、金属板を貫通させるバーリング加工により形成することができる。これにより、周方向に４つの頂点を持つ王冠状のバーリング部４０Ａが形成される。一方、図５に示すバーリング部４０Ｂは、たとえば、予め穴の開けられた金属板に対して、当該穴と相似形かつ当該穴より一回り大きい形状の円柱状金型を、金属板の穴の中心軸と金型の中心軸とが一致するように押し当てて、金属板を貫通させるバーリング加工によって形成することができる。これにより、周方向の高さが一定のリング状を成すバーリング部４０Ｂが形成される。
【００４９】
また、バーリング部４０の最大高さＢｈは特に限定されるものではないが、凸部２６に対する固定用補助端子３０Ｃまたは固定用補助端子３０Ｄの固定力を向上させる観点から、リング状部材３２Ｃ、３２Ｄの厚みｔの１倍以上であることが好ましく、リング状部材３２Ｃ、３２Ｄの厚みｔの１．５倍以上であることがより好ましい。一方、最大高さＢｈの上限は特に限定されないが、所定の最大高さＢｈを有するバーリング部４０の形成自体が困難となるなどの実用上の観点からは、最大高さＢｈは、リング状部材３２Ｃ、３２Ｄの厚みｔの５倍以下であることが好ましい。
【００５０】
なお、バーリング部４０は、上述したようにバーリング加工によって形成することができるが、バーリング部４０としての機能が得られるのであれば、バーリング加工以外の方法によって形成してもよい。たとえば、図３に示すリング状部材３２Ｂの内周側に、リング状の部材を嵌め込んで固定することで、図５に例示したバーリング部４０Ｂと実質的に同様の機能を有するバーリング部を形成することができる。
【００５１】
次に、（ＩＩ）中空部材が筒状部材からなる固定用補助端子を用いたコンデンサ、および、これに用いる固定用補助端子について図面を用いて説明する。図６は、本実施形態のコンデンサの他の例を示す模式図であり、コンデンサ本体の端面に設けられた凸部近傍の構造について説明する図である。ここで、図６（Ａ）は、コンデンサを側面側から見た側面図であり、図６（Ｂ）は、コンデンサの断面図（凸部の軸方向を含む面で切断した断面図）である。なお、図６（Ｂ）中、コンデンサ本体内部の断面構造の詳細については記載を省略してある。
【００５２】
図６に示すコンデンサ１０Ｂ（１０）は、図１に例示したものと同様のコンデンサ本体２０と、固定用補助端子５０と、を備える。ここで、固定用補助端子５０は、底付き筒状部材５２と、筒状部材５２の底部５２Ｂの外面に接続された棒状部材５４と、を有する。なお、棒状部材５４は、図中の一点鎖線Ｃ５として示されるように、筒状部材５２の軸方向と、棒状部材５４の軸方向とが一致するように、筒状部材５２の底部５２Ｂに接続されている。なお、筒状部材５２および棒状部材５４の中心軸は、図６に示す例では、凸部２６およびコンデンサ本体２０の中心軸とも一致している。ここで、固定用補助端子５０は、筒状部材５２の両側（たとえば、図６中の矢印Ｆ２方向）から力を加えてかしめることで、コンデンサ本体２０に取り付けられている。なお、回路付き基板の作製に際して、基板にコンデンサ１０Ｂを取り付ける場合には、２本のリード線２４Ａ、２４Ｂ（図６中、不図示）および棒状部材５４は、３本共に同じ方向に折り曲げられた後、基板の貫通穴に差し込まれ、半田付けされる。
【００５３】
なお、筒状部材５２には、図２に例示した固定用補助端子３０Ａと同様に、筒状部材５２の筒体部分を周方向に分断する割りを設けてもよい。また、棒状部材５４は、筒状部材５２の底部５２Ｂでは無く、筒状部材５２の外周面に接続してもよい。この場合、筒状部材５２には、底部５２Ｂが設けられていなくてもよい。さらに、棒状部材５４は、棒状部材５４の中心軸と、筒状部材５２Ｂの中心軸とが略直交するように、筒状部材５２に接続してもよい。なお、筒状部材５２は、たとえば、ステンレス板やアルミニウム板等の公知の金属板のプレス加工などにより作製することができ、棒状部材５４は、たとえば、ステンレス板やアルミニウム板等の公知の金属板を抜き打ち加工したものや、リード線等の公知の金属線を利用できる。
【００５４】
次に、（ＩＩＩ）中空部材がコイル状部材からなる固定用補助端子を用いたコンデンサ、および、これに用いる固定用補助端子について図面を用いて説明する。図７は、本実施形態のコンデンサの他の例を示す模式図である。ここで、図７（Ａ）が、コンデンサを側面側から見た側面図であり、図７（Ｂ）がコンデンサを上面側から見た上面図であり、図７（Ｃ）がコンデンサを固定用補助端子が取り付けられた端面側から見た正面図である。なお、図７（Ａ）中の矢印Ｕ方向から見た図が図７（Ｂ）に相当し、図７（Ａ）中の矢印Ｅ方向から見た図が図７（Ｃ）に相当する。
【００５５】
図７に示すコンデンサ１０Ｃ（１０）は、図１および図６に示したものと同様の略円柱状のコンデンサ本体２０と、固定用補助端子６０と、を備える。ここで、固定用補助端子６０は、コイル状部材６２と棒状部材６４とから構成されている。なお、図７に示す例では、固定用補助端子６０は、１本の金属線の一端を円形状に巻回させることで、コイル状部材６２と棒状部材６４とが一体的に形成されている。
【００５６】
固定用補助端子６０は、コイル状部材６２の中空部６６内に凸部２６が差し込まれた状態で、コイル状部材６２がかしめられることにより、コンデンサ本体２０に取り付けられている。ここで、棒状部材６４は、その中心軸Ｃ６が、２本のリード線２４Ａ、２４Ｂと端面２２Ａとが交差する２点間を結ぶ直線Ｌ（図７（Ｂ）および図７（Ｃ）中、点線で示される直線Ｌ）に対して略直交するように配置される。このように棒状部材６４を配置することにより、２本のリード線２４Ａ、２４Ｂを、棒状部材６４の中心軸Ｃ６と略平行を成すように、棒状部材６４が設けられた側へと折り曲げることで、図中、不図示の基板の貫通穴に対してリード線２４Ａ、２４Ｂおよび棒状部材６４を差し込んだ後に、半田付けすることが極めて容易となる。
【００５７】
なお、コイル状部材６２の巻回数は、少なくとも１回以上であればよいが、固定用補助端子６０を凸部２６に対してより強固に固定するために、２回以上であることが好ましく、３回以上であることがより好ましい。一方、巻回数の上限は特に限定されないが、実用上は１０回以下である。また、コンデンサ１０Ｃの作製に際しては、コイル状部材６２の中空部６６内に凸部２６を差し込んだ後に、コイル状部材６２をかしめる工程を経て作製することができるが、これ以外の方法で作製することもできる。すなわち、凸部２６の外周面に金属線の一端を巻回させてコイル状部材６２を形成し、コイル状部材６２をかしめることによってもコンデンサ１０Ｃを作製することができる。あるいは、コイル状部材６２の径が縮む方向の弾性力を利用して、固定用補助端子６０をコンデンサ本体２０に取り付けてもよい。
【００５８】
図１、図６および図７に例示した本実施形態のコンデンサ１０Ａ、１０Ｂ、１０Ｃでは、いずれも中空部材からなる圧着固定部材を備えた固定用補助端子３０、５０、６０を用いている。しかしながら、図１、図６および図７に示す例において、固定用補助端子３０、５０、６０の代わりに、半リング状部材および半筒状部材から選択される凸部保持部材からなる圧着固定部材を備えた固定用補助端子を用いることもできる。以下に、このような固定用補助端子の具体例について図面を用いて説明する。
【００５９】
図８〜図１０は、本実施形態のコンデンサに用いることができる固定用補助端子の他の例を示す模式図であり、具体的にはコンデンサ本体２０の凸部２６に圧着固定された状態における正面図である。なお、いずれの図においても、コンデンサ本体２０のうち、凸部２６以外の記載は省略してある。また、図中の符号Ｘで示される一点鎖線と、符号Ｙで示される一点鎖線とは、凸部２６の中心軸Ｃ１において直交する直線である。
【００６０】
ここで、図８に示す固定用補助端子７０Ａ（７０）は、図３に示すリング状部材３２Ｂのうち、リング状部材３２の棒状部材３４が接続された側と反対側の部分を、周方向長さで全周の約１／３程度切除した形状を有する半リング状部材７２と、この半リング状部材７２に接続された棒状部材７４とを有する。なお、棒状部材７４は、図３に示す棒状部材３４に対応するものである。そして、この半リング状部材７２の内周側に、半リング状部材７２の内周面の全面と、凸部２６の外周面とが密着するように、凸部２６が配置されている。ここで、図中のＸ軸方向において、半リング状部材７２を両側（たとえば、図８中の矢印Ｆ３方向）からかしめることで、凸部２６に対して半リング状部材７２が圧着固定されている。なお、図８に示す例では、対向比率は５０％を超えており、具体的には、約６０〜７０％程度である。なお、圧着固定部材として半筒状部材を用いる場合には、たとえば、断面形状が、図８に示すリング状部材７２と同様の半筒状部材を用いることができる。
【００６１】
図９に示す固定用補助端子７０Ｂ（７０）は、図８に示す例において、同心円形状のリングの周方向の一部を欠いた形状からなる半リング状部材７２の代わりに、両先端部７６Ｒ、７６Ｌが互いに接近するように折れ曲がったＶ字形状の半リング状部材７６を用いた以外は同様の構造を有している。固定用補助端子７０Ｂでは、Ｘ軸方向において凸部２６の両側部分の外周面においてのみ半リング状部材７６の内周面と接触している。なお、半リング状部材７６は、凸部２６に固定される前の状態においては、図９において一点鎖線で示されるように、完全なＶ字形状からなる。そして、凸部２６に対して圧着固定する前のリング状部材７６の内周側に凸部２６を配置した状態で、図中のＸ軸方向において、圧着固定前の半リング状部材７２を両側からかしめることで、両先端部７６Ｒ、７６Ｌが互いに接近するように折れ曲がると同時に、凸部２６に対して半リング状部材７２が圧着固定される。なお、図９に示す例では、対向比率は５０％を大幅に上回っている。
【００６２】
図１０に示す固定用補助端子７０Ｃ（７０）は、図７に示す固定用補助端子６０を構成するコイル状部材６２の巻回数を１回未満とした構成である。ここで、図中のＸ軸方向において、半リング状部材７８を両側からかしめることで、凸部２６に対して半リング状部材７８が圧着固定されている。なお、図１０に示す例では、巻回数は約０．７５回であり、対向比率も約７５％前後である。
【００６３】
図１〜図１０に例示したように、固定用補助端子３０、５０、６０、７０の取付けに際しては、圧着固定の具体的方法として、主にかしめを採用しているが、既述したように、弾性力を利用したり、嵌合力その他を利用することもできる。また、圧着固定部材が中空部材からなる固定用補助端子３０では、凸部２６の先端に割り（開裂部）を設け、開裂部に、棒状の部材や板状の部材などを差し込んで、固定用補助端子３０を取り付けてもよい。
【００６４】
−コンデンサ本体−
次に、本実施形態のコンデンサ１０に用いるコンデンサ本体２０について説明する。このコンデンサ本体２０は、２本のリード線２４Ａ、２４Ｂが設けられた側の端面２２Ａと反対側の端面２２Ｂに柱状の凸部２６が設けられている以外は、従来公知のコンデンサと同様のものが利用できる。
【００６５】
コンデンサ本体２０は、従来のコンデンサと同様に、通常、コンデンサ素子と、このコンデンサ素子に接続された２本のリード線２４Ａ、２４Ｂと、コンデンサ素子を収納する底付き筒状ケースと、を少なくとも有する。さらに、コンデンサ本体２０は筒状ケースの底面の外側に突出するように凸部２６が設けられる。ここで、凸部２６は、筒状ケースの底面に対して、溶接や接着を利用して配置することも可能であるが、筒状ケースと凸部２６とが一体成形されていることが特に好ましい。
【００６６】
この理由は、凸部２６以外の部分が実質的に完成した状態のコンデンサ本体２０に対して、凸部２６を溶接等により取り付けようとすると、コンデンサ本体２０の軸方向に押圧力が加わることになるためである。すなわち、この場合、コンデンサ本体２０内に収納されたコンデンサ素子に圧力が加わることになり、コンデンサ１０の電気的特性にばらつき等が生じやすくなる。さらに、筒状ケースと凸部２６とが一体成形されていれば、コンデンサ１０の製造に際して、凸部２６を取り付ける工程を省略することもできる。
【００６７】
図１１は、本実施形態のコンデンサに用いるコンデンサ本体の断面構造の一例を示す模式断面図であり、具体的には、図１、図６および図７に示すコンデンサ本体２０の断面構造について示したものである。なお、図１１では、コンデンサ本体２０の凸部２６が設けられた側の断面構造について示し、リード線２４Ａ、２４Ｂが設けられた側の断面構造については記載を省略してある。
【００６８】
図１１に示す例では、コンデンサ本体２０は、底付き筒状ケース８０の内部に、コンデンサ素子８２が収納されている。そして、筒状ケース８０の底部８０Ｂの外面、すなわち、円形状の端面２２Ｂには、筒状ケース８０と一体的に形成された円柱状の凸部２６が設けられている。コンデンサ素子８２の構造は、コンデンサの種類に応じて適宜選択される。たとえば、本実施形態のコンデンサ１０が、電解コンデンサである場合、コンデンサ素子８２は、陽極箔と電解紙と陰極箔とをこの順に積層した積層シートを巻回することで構成されている。ここで、陽極箔は、粗面化したアルミ箔の表面に、誘電体として機能する酸化アルミニウム膜を有する。陰極箔は、アルミ箔からなる。電解紙は、有機溶媒を用いた電解液を含浸させた紙基材であり、陽極箔と陰極箔とが接触することを防止する。また、コンデンサ素子８２には、２本のリード線２４Ａ、２４Ｂが電気的に接続されており、一方のリード線２４Ａが陽極箔に接続され、他方のリード線２４Ｂが陰極箔に接続されている。また、筒状ケース８０は、通常、アルミニウム等の金属から構成され、金属板をプレス加工等することで、凸部２６と一体的に形成することができる。
【００６９】
ここで、凸部２６の断面形状は、図１に示した円形状以外にも、任意の形状を選択できる。しかしながら、図１〜図５および図７〜図１０に例示した凸部２６の軸方向中心線Ｃ１に対して棒状部材３４、６４、７４が略直交するように凸部２６に対して圧着固定される固定用補助端子３０、６０、７０を用いる場合には、凸部２６の断面形状は円形状であることが特に好ましい。
【００７０】
この理由は、以下の通りである。まず、図１〜図５および図７〜図１０に例示した固定用補助端子３０、６０、７０を用いて図６に示した以外の本実施形態のコンデンサ１０を組み立てた後、さらに複数の貫通穴を有する基板に対してコンデンサ１０を取り付けるためには、２本のリード線２４Ａ、２４Ｂを、直線Ｌおよび軸方向中心線Ｃ１を含む平面に対して略直交するように折り曲げる必要がある。この場合、凸部２６の断面形状が円形状、すなわち、凸部２６の中心軸Ｃ１に対して点対称を成す等方的な形状であれば、棒状部材３４、６４、７４の向きを、中心軸Ｃ１に対して０度〜３６０度の範囲で任意に調整できる。このため、棒状部材３４、６４、７４の向きを、２本のリード線２４Ａ、２４Ｂの折り曲げ方向に合わせる形で、固定用補助端子３０、６０、７０をコンデンサ本体２０に取り付けることが極めて容易である。
【００７１】
これに対して、凸部２６の断面形状が円形以外の形状、すなわち、凸部２６の中心軸Ｃ１に対して非点対称を成す異方的な形状であれば、棒状部材３４、６４、７４の向きは、中心軸Ｃ１に対して、所定の角度範囲内でしか調整できなくなる傾向にある。この場合、回路付き基板の組み立てに際して、棒状部材３４、６４、７４の向きを、折り曲げられた２本のリード線２４Ａ、２４Ｂの向きと揃えられるように、凸部２６の断面形状を考慮して２本のリード線２４Ａ、２４Ｂを所定の位置に配置するようにコンデンサ本体２０を作製する必要がある。このため、コンデンサ本体２０の作製工程が複雑化する可能性がある。以上のことから、固定用補助端子３０、６０、７０を用いる場合には、凸部２６の断面形状は円形状であることが好ましい。
【００７２】
なお、筒状ケース８０には、必要に応じて、外周面または端面２２Ｂに安全弁を設けることができる。これにより、コンデンサ１０が故障して電解液が蒸気化するなどによりコンデンサ本体２０の内圧が上昇した場合、内圧が所定の閾値を超えた際に安全弁が開きし、コンデンサ１０の著しい破損を防ぐことができる。ここで、端面２２Ｂに安全弁を設ける場合には、凸部２６の中心軸に対して、略点対称を成すように２つ以上配置することが好ましい。これにより、端面２２Ｂに安全弁を１つだけ設けた場合と比べて、安全弁の形成による凸部２６の端面２２Ｂに対する傾きが生じるのを抑制できる。これに加えて、コンデンサ１０を取り付けた回路付き基板において、安全弁からガスが放出される方向を必ず基板表面と略平行な方向に限定することができる。このため、たとえば、回路付き基板を筐体内に内蔵した電子機器において、コンデンサ１０が故障した際に安全弁から放出されるガスを電子機器内に留めることが容易となる。
【００７３】
また、端面２２Ｂ上に配置されるのであれば、凸部２６は、端面２２Ｂの任意の位置に配置することができる。しかしながら、通常は、コンデンサ本体２０の中心軸、すなわち筒状ケース８０の中心軸と、凸部２６の軸方向中心線Ｃ１とが略一致するように、凸部２６は、端面２２Ｂ上に配置されることが好ましい。
【００７４】
凸部２６の高さは、固定用補助端子が取り付け可能な程度の高さであればよいが、具体的には下式（１）を満たすことが好ましい。
・式（１）  ０＜Ｈｐ≦ＤＣ／１．５
【００７５】
ここで、式（１）中、Ｈｐは、凸部２６の高さ（ｍｍ）を表し、ＤＣは、コンデンサ本体２０の直径（ｍｍ）を表す。高さＨｐをコンデンサ本体２０の直径ＤＣ／１．５以下とすることにより、従来の補助端子付きのコンデンサと比べて、コンデンサ本体２０の長さを非常にコンパクトなものとすることができる。このため、コンデンサ本体２０またはその中間製品の作製に際して、従来の補助端子付きのコンデンサと比べて、取り扱いが極めて容易になる。これに加えて、既存の補助端子の無いコンデンサ用の製造ラインに対して多少の改造を加えるのみで、あるいは、実質的に殆ど改造すること無く、本実施形態のコンデンサ１０を製造するも極めて容易となる。なお、高さＨｐは、ＤＣ／１〜ＤＣ／１．５の範囲内がより好ましい。
【００７６】
また、凸部２６の直径は、凸部２６に対して固定用補助端子３０、５０、６０、７０を圧着固定した際に、著しく折れ曲がったりしない程度の強度が確保できるのであれば特に限定されないが、具体的には下式（２）を満たすことが好ましい。
・式（２）    ＤＣ／２０≦Ｄｐ＜ＤＣ
【００７７】
ここで、式（２）中、Ｄｐは、凸部２６の直径（ｍｍ）を表し、ＤＣは、コンデンサ本体２０の直径（ｍｍ）を表す。凸部２６の直径Ｄｐをコンデンサ本体２０の直径ＤＣ／２０以上とすることにより、適度な強度を確保できる。一方、本実施形態のコンデンサ１０を基板に取り付けた際に、基板とコンデンサ１０との間に著しい隙間が生じるのを防ぐという実用上の観点から、直径Ｄｐはコンデンサ本体２０の直径ＤＣ未満であることが好ましい。なお、凸部２６の直径Ｄｐは、ＤＣ／２０〜ＤＣ／２の範囲内がより好ましく、ＤＣ／２０〜ＤＣ／２の範囲内がさらに好ましい。但し、十分な強度を確保する都合上、直径Ｄｐの絶対値は、通常１ｍｍ〜４ｍｍの範囲とすることが好ましい。
【００７８】
なお、凸部２６の断面形状およびコンデンサ本体２０の断面形状が、円形以外である場合、直径Ｄｐおよびコンデンサ本体２０の直径ＤＣは、円形以外の断面形状の断面積と同じ断面積を有する円における直径を意味する。
【００７９】
また、縦長形状のコンデンサでは、省スペース化等を目的として、基板表面に対してコンデンサの軸方向が略平行となるようにコンデンサを基板に取り付けるニーズが大きくなる。この点を考慮すれば、コンデンサ本体２０の直径ＤＣに対する長さＬの比（Ｌ／ＤＣ）は、１．２以上であることが好ましく、１．５以上であることがより好ましい。一方、比（Ｌ／ＤＣ）の上限は特に限定されないが、実用上は１０以下である。なお、ここで言う「長さＬ」とは、凸部２６の高さＨｐおよびリード線２４Ａ、２４Ｂの長さを除いた長さを意味する。
【００８０】
本実施形態のコンデンサ１０は、コンデンサ本体２０の形状が柱状であるならば、その種類は特に限定されず、たとえば、（１）アルミ電解コンデンサ、タンタル電解コンデンサ、ニオブコンデンサ等の電解型コンデンサ、（２）電気二重層型コンデンサ、（３）リチウムイオンキャパシタ等のいずれであってもよい。
【００８１】
−コンデンサの製造方法−
本実施形態のコンデンサ１０の製造に際しては、通常、コンデンサ本体２０と、（取り付け前の）固定用補助端子３０、５０、６０、７０と、を用い、凸部２６の中心軸Ｃ１に対して略直交する２つ以上の方向から凸部２６の外周面を押圧できるように凸部２６に対して、圧着固定部材３２、５２、６２、７２を配置した後、圧着固定部材３０、５０、６０、７０をかしめることにより、固定用補助端子３０、５０、６０、７０を、コンデンサ本体２０に取り付ける固定用補助端子取り付け工程を少なくとも実施する。すなわち、コンデンサ本体２０を用いて、コンデンサ１０を製造する一連のプロセスの最終段階で、固定用補助端子３０、５０、６０、７０を取り付ける。
【００８２】
なお、固定用補助端子取り付け工程を実施する場合に用いるコンデンサ本体２０は、さらなる加工・処理が必要の無い状態（完全に完成した状態）であることが望ましいが、実質的に完成した状態であってもよい。ここで、実質的に完成した状態とは、コンデンサとして最低限必要な電気的機能が完成している状態を意味する。このため、たとえば、固定用補助端子取り付け工程は、外周面に塗装処理がされていない状態のコンデンサ本体２０に対して実施してもよいし、外周面に塗装処理がされた状態のコンデンサ本体２０に対して実施してもよい。
【００８３】
ここで、本実施形態のコンデンサ１０において、従来の補助端子付きのコンデンサにおける補助端子に相当する機能を有する部材は、凸部２６および固定用補助端子３０、５０、６０、７０である。これに加えて、コンデンサの直径よりも非常に大きな寸法を有する補助端子に相当する機能を有する凸部２６および固定用補助端子３０、５０、６０、７０のうち、寸法が非常に大きく、嵩張る部材は固定用補助端子３０、５０、６０、７０のみである。この理由は、凸部２６の高さ（凸部２６の軸方向における長さ）は、固定用補助端子３０、５０、６０、７０の取り付けに必要な高さだけあれば十分であるため、コンデンサ本体２０の直径よりも大きくする必要が無いためである。
【００８４】
このため、本実施形態のコンデンサ１０の製造方法においては、コンデンサ１０を製造する全工程のうち、最終段階である固定用補助端子取り付け工程を除いては、補助端子の無い従来のコンデンサと実質的に同程度の寸法を有するコンデンサ本体２０およびその中間製品を用いて各工程を実施することになる。このため、最終段階である固定用補助端子取り付け工程を除いた全工程において、補助端子の無い従来のコンデンサと同様の取り扱い性が確保できる。また、これに加えて、補助端子の無い従来のコンデンサの製造ラインを転用して本実施形態のコンデンサ１０を製造することも極めて容易である。
【００８５】
たとえば、本実施形態のコンデンサ１０を製造する上で、コンデンサ本体２０を把持してコンデンサ本体２０の軸方向中心線Ｃ１に搬送するハンドリング部材について着目する。この場合、搬送距離を、補助端子が無いコンデンサを製造する場合とほぼ同様に設定することができる。この理由は、一般的に既存の製造ラインで設定されているハンドリング部材の搬送距離には、ある程度のマージンがあるため、このマージンを利用することができるためである。それゆえ、搬送距離を大幅に増大させるように、製造ラインを改造する必要が無い。
【００８６】
これに加えて、固定用補助端子取り付け工程では、凸部２６の中心軸と略直交する方向に力を加えることで、固定用補助端子を取り付ける。すなわち、コンデンサ本体２０の軸方向に対して、実質的になんらの力も加わらない。このため、コンデンサ本体２０内に収納されたコンデンサ素子８２に、押圧力が加わるなどにより、コンデンサ１０の電気的特性のばらつきが生じるおそれも無い。
【００８７】
一方、従来の補助端子付きのコンデンサでは、コンデンサを製造する全工程の最終段階で補助端子を溶接等により取り付けようとすると、コンデンサの軸方向に対して押圧力を加える必要があるため、コンデンサの電気的特性にばらつきが生じ易くなる。このため、コンデンサ素子を収納する底付きの筒状ケースに予め補助端子を取り付けた状態で、コンデンサを作製する必要がある。しかしながら、このような製造プロセスでは、コンデンサを製造する全工程の初期の段階から、寸法が非常に大きく、嵩張る部材である補助端子が付いたコンデンサの中間製品を用いてコンデンサを作製する必要がある。このため、本実施形態のコンデンサ１０を製造する場合と比べて、従来の補助端子付きのコンデンサでは、全工程の初期の段階から取り扱い性が著しく低下する。それゆえ、コンデンサの生産性の点で、従来の補助端子付きのコンデンサの製造方法は、本実施形態のコンデンサ１０の製造方法よりも劣る。また、これに加えて、補助端子以外の部分が略同寸法である補助端子の無い従来のコンデンサの製造ラインを転用しようとしても、寸法が非常に大きく、嵩張る部材である補助端子の存在を考慮して製造ラインを大幅に改造する必要がある。このため、補助端子の無い従来のコンデンサの製造ラインを転用して従来の補助端子付きのコンデンサを製造しようとした場合、製造ラインの改造に時間およびコストを要する。
【００８８】
以上に説明したように、本実施形態のコンデンサ１０の製造方法は、従来の補助端子付きコンデンサの製造方法と比べて、取り扱い性および製造ラインの転用容易性という点で、非常に優れている。それゆえ、初回受注を受けてから初回ロットを顧客に納品するまでの納期を短縮することも容易である。これに加えて本実施形態のコンデンサ１０は、生産性が高いため、従来の補助端子付きコンデンサと比べて、より低コストで製造することも容易である。
【００８９】
なお、固定用補助端子取り付け工程は、圧着固定部材の種類に応じて、具体的には、以下に説明する手順で実施できる。まず、圧着固定部材が、リング状部材３２、筒状部材５２およびコイル状部材６２から選択される中空部材からなる場合、固定用補助端子取り付け工程は、中空部材の中空部に、凸部２６を差し込んだ状態で、中空部材をかしめることにより実施される。また、圧着固定部材が、半リング状部材７２、７６、７８および半筒状部材から選択される凸部保持部材である場合、固定用補助端子取り付け工程は、凸部保持部材の内周側に凸部２６を配置した状態で、凸部保持部材をかしめることにより実施される。
【００９０】
−回路付き基板−
本実施形態の回路付き基板は、厚み方向に貫通する３つ以上の貫通穴を有する基板と、本実施形態のコンデンサ１０と、を少なくとも備えるものである。ここで２本のリード線２４Ａ、２４Ｂおよび棒状部材３４、５４、６４、７４が、３つ以上貫通穴から選択されたいずれか３つの貫通穴に各々差し込まれた状態で、コンデンサ１０が基板に固定される。高い固定強度が必要とされる場合、基板に対してコンデンサ本体２０を略密着させることが好ましい。
【００９１】
図１２は、本実施形態の回路付き基板の一例を示す模式図であり、具体的には、図１に示すコンデンサ１０Ａが基板の表面に固定された状態を示す図である。ここで、図１２（Ａ）は、コンデンサ本体を側面から見た断面図を示し、図１２（Ｂ）は、コンデンサ本体の一方の端面側から見た断面図を示し、図１２（Ｃ）は、コンデンサ本体の他方の端面側から見た断面図を示す。但し、図１２（Ａ）中、コンデンサ１０の断面構造については記載を省略し、側面の外観を示してある。また、図１２（Ａ）中に示す基板１１０の断面は、基板１１０の表面１１０Ｔを直線的に切断した場合の断面構造を示すものではなく、棒状部材３４が設けられた位置の断面構造、および、リード線２４Ａが設けられた位置またはリード線２４Ｂが設けられた位置の断面構造について示したものである。
【００９２】
図１２に示すように回路付き基板１００は、基板１１０と、この基板１１０の表面１１０Ｔに、コンデンサ本体２０の側面が密着して固定されたコンデンサ１０とを有する。ここで、基板１１０には、基板１１０の厚み方向に貫通する貫通穴１１２Ａ、１１２Ｂ、１１２Ｃが設けられている。貫通穴１１２Ａにはリード線２４Ａが差し込まれ、貫通穴１１２Ｂにリード線２４Ｂが差し込まれ、貫通穴１１２Ｃには棒状部材３４が差し込まれている。なお、リード線２４Ａ、リード線２４Ｂおよび棒状部材３４の先端部は、基板１１０の裏面１１０Ｂに対して若干突出しており、これら先端部近傍の裏面１１０Ｂに対して半田付けすることにより、先端部の周囲は半田１２０により覆われている。なお、基板１１０に対して、コンデンサ１０Ａを取り付けるに際して、リード線２４Ａ、２４Ｂは、棒状部材３４の軸方向と同じ方向に折り曲げられる。
【００９３】
図１２に例示した本実施形態の回路付き基板１００では、柱状のコンデンサ本体２０は、その軸方向が基板１１０Ｔの表面と平行を成すようにコンデンサ１０が基板１１０に固定されている。これに加えて、コンデンサ１０が基板１１０の表面１１０Ｔに、柱状のコンデンサ本体２０の側面が密着して固定されている。このため、回路付き基板１００を小型化することができる。これに加えて、コンデンサ１０は、その両端面２２Ａ、２２Ｂに設けられた３本の端子、すなわち２本のリード線２４Ａ、２４Ｂおよび固定用補助端子３２Ａを介して、基板１１０に固定されている。このためコンデンサ１０は、基板１１０に対してより安定かつ強固に固定され、振動の影響も受けにくい。
【００９４】
なお、図１〜図５、図７〜図９に例示した固定用補助端子３０Ａ、３０Ｂ、３０Ｃ、３０Ｄ、６０、７０Ａ、７０Ｂ、７０Ｃを備えた電解コンデンサ１０を用いて回路基板を組み立てる場合、凸部２６の軸方向に対する固定用補助端子３０Ａ、３０Ｂ、３０Ｃ、３０Ｄ、６０、７０Ａ、７０Ｂの取り付け位置がずれると、回路基板の組み立てが困難となる場合がある。位置ずれにより、基板１１０に設けられた貫通穴１１２Ｃに対して、棒状部材３４、６４、７４を差し込むことが困難となるからである。
【００９５】
このような問題を解決するためには、たとえば、リング状部材３２、コイル状部材６２、半リング状部材７２、７６、７８を、端面２２Ｂに接触させた状態で固定用補助端子３０Ａ、３０Ｂ、３０Ｃ、３０Ｄ、６０、７０Ａ、７０Ｂ、７０Ｃを凸部２６に固定することができる。なお、リング状部材３２が、図４および図５に例示したようにバーリング部４０を有する場合、リング状部材３２の本体を端面２２Ｂに接触させる代わりに、バーリング部４０を端面２２Ｂに接触させた状態で、固定用補助端子３０Ａ、３０Ｂ、３０Ｃ、３０Ｄ、６０、７０Ａ、７０Ｂ、７０Ｃを凸部２６に固定してもよい。
【００９６】
また、端面２２Ｂとリング状部材３２、コイル状部材６２、半リング状部材７２、７６、７８との間にワッシャを配置した状態で固定用補助端子３０Ａ、３０Ｂ、３０Ｃ、３０Ｄ、６０、７０Ａ、７０Ｂ、７０Ｃを凸部２６に固定することもできる。また、凸部２６の端面２２Ｂ側近傍部分の直径のみをより大きくして、ワッシャと同様の機能を持たせてもよい。
【符号の説明】
【００９７】
１０、１０Ａ，１０Ｂ、１０Ｃ  コンデンサ
２０  コンデンサ本体
２２Ａ、２２Ｂ  端面
２４Ａ、２４Ｂ  リード線（電極端子）
２６  凸部
３０、３０Ａ、３０Ｂ、３０Ｃ、３０Ｄ  固定用補助端子
３２、３２Ａ、３２Ｂ、３２Ｃ、３２Ｄ  リング状部材（中空部材、圧着固定部材）
３４  棒状部材
３６  開口部（中空部）
３８  隙間（割り）
４０、４０Ａ、４０Ｂ  バーリング部
５０  固定用補助端子
５２  筒状部材（中空部材、圧着固定部材）
５４  棒状部材
６０  固定用補助端子
６２  コイル状部材（中空部材、圧着固定部材）
６４  棒状部材
７０、７０Ａ、７０Ｂ  固定用補助端子
７２  半リング状部材（凸部保持部材、圧着固定部材）
７４  棒状部材
７６  半リング状部材（凸部保持部材、圧着固定部材）
７６Ｒ、７６Ｌ  先端部
７８  半リング状部材（凸部保持部材、圧着固定部材）
８０  筒状ケース
８０Ｂ  底部
８２  コンデンサ素子
１００  回路付き基板
１１０  基板
１１０Ｔ  表面
１１０Ｂ  裏面
１１２Ａ、１１２Ｂ、１１２Ｃ  貫通穴
１２０  半田
【図１】
2012077459.tif 000003
【図２】
2012077459.tif 000004
【図３】
2012077459.tif 000005
【図４】
2012077459.tif 000006
【図５】
2012077459.tif 000007
【図６】
2012077459.tif 000008
【図７】
2012077459.tif 000009
【図８】
2012077459.tif 000010
【図９】
2012077459.tif 000011
【図１０】
2012077459.tif 000012
【図１１】
2012077459.tif 000013
【図１２】
2012077459.tif 000014
【国際調査報告】
2012077459.tif 000015
2012077459.tif 000016
2012077459.tif 000017
2012077459.tif 000018